(57)【特許請求の範囲】
【請求項１】
筐体内に給気口を有する給気箱と、同給気箱よりの燃焼用空気を供給する送風機と、熱交換器と、同熱交換器を加熱するバーナと、同熱交換器の上部に設けた排気ガス通路と、同排気ガス通路と連接し、同排気ガスを排気する排気口を有する排気箱と、前記送風機、熱交換器、バーナ等を囲う外装とを配設し、前記給気口と排気口とを前記筐体の前面に配置してなる油だき温水ボイラにおいて、
前記排気箱の排気口と対向する背面を開口し、同開口部に、風圧により開閉する圧力開閉弁を設けるとともに、前記給気口と排気口を並べて配置し、同給気口と排気口に風向板を回動自在に配置したことを特徴とする油だき温水ボイラ。
【請求項２】
前記給気口と排気口に設けた風向板に、互いに連動する連動手段を設けたことを特徴とする請求項１記載の油だき温水ボイラ。
【請求項３】
前記排気箱および給気箱を水平方向回動自在とし、前記筐体上部に風向を指示する風向指示板を設け、同風向指示板と連動して前記排気箱および給気箱を回動するようにしたことを特徴とする請求項１記載の油だき温水ボイラ。
【請求項４】
前記排気箱および給気箱を水平方向回動自在とし、同排気箱の上部に風向を指示する風向指示板を設け、同風向指示板と連動して前記給気箱を回動するようにしたことを特徴とする請求項１記載の油だき温水ボイラ。
【請求項５】
前記排気箱および給気箱を水平方向回動自在とし、同給気箱の上部に風向を指示する風向指示板を設け、同風向指示板と連動して前記排気箱を回動するようにしたことを特徴とする請求項１記載の油だき温水ボイラ。
【請求項６】
前記排気箱および給気箱にプーリを設け、同プーリ間をベルトで結合することにより、前記風向指示板と排気箱と給気箱とを連動して回動するようにしたことを特徴とする請求項３、請求項４または請求項５記載の油だき温水ボイラ。
【発明の詳細な説明】
【０００１】
【発明の属する技術分野】
本発明は、油だき温水ボイラに係わり、とくに、風向にかかわらず安定して燃焼するものに関する。
【０００２】
【従来の技術】
従来、油だき温水ボイラは、図１および図２に示すように、筐体２０内に、給気口１ａを有する給気箱１と、同給気箱１よりの燃焼用空気を通風路２を介して供給する送風機３と、燃焼室５に配置した熱交換器６と、同熱交換器６を加熱するバーナ４と、同熱交換器５の上部に設けた排気ガス通路７と、同排気ガス通路７と連接し、同排気ガスを排気する排気口８ａを有する排気箱８と、前記送風機３、バーナ４、熱交換器６等を囲う外装９とを配置し、前記給気口１ａと排気口８ａとを筐体２０の前面に配置し、正面からの風が給気口１ａと排気口８ａとに同じようにかかるようにして、風圧のバランスをとるようにしていた。
しかし、風の強さと、風向きによっては、排気口から風が吹き込んで、燃焼炎に風圧がかかり燃焼が不安定となるという問題があった。
また、とくに、給気口１ａと排気口８ａを水平に配置した場合、排気口８ａ側から風が吹いた場合、図６に示すように排気圧に邪魔されて、給気口に風が当たらず、風圧がかからないため、給気と排気のバランスが崩れ、給気が不安定となり、安定した燃焼を得られないという問題があった。
【０００３】
【発明が解決しようとする課題】
本発明は以上述べた問題点を解決し、いかなる向きからの風に対しても安定に燃焼することのできる油だき温水ボイラを提供することを目的としている。
【０００４】
【課題を解決するための手段】
本発明は上述の課題を解決するため、筐体内に給気口を有する給気箱と、同給気箱よりの燃焼用空気を供給する送風機と、熱交換器と、同熱交換器を加熱するバーナと、同熱交換器の上部に設けた排気ガス通路と、同排気ガス通路と連接し、同排気ガスを排気する排気口を有する排気箱と、前記送風機、熱交換器、バーナ等を囲う外装とを配設し、前記給気口と排気口とを前記筐体の前面に配置してなる油だき温水ボイラにおいて、前記排気箱の排気口と対向する背面を開口し、同開口部に、風圧により開閉する圧力開閉弁を設けるとともに、前記給気口と排気口を並べて配置し、同給気口と排気口に風向板を回動自在に配置した油だき温水ボイラとしている。
【０００５】
前記給気口と排気口の外側に設けた風向板に、互いに連動する連動手段を設けた油だき温水ボイラとしている。
【０００６】
前記排気箱および給気箱を水平方向回動自在とし、前記筐体上部に風向を指示する風向指示板を設け、同風向指示板とベルト等で連動して前記排気箱および給気箱を回動するようにした油だき温水ボイラとしている。
【０００７】
前記排気箱および給気箱を水平方向回動自在とし、同排気箱の上部に風向を指示する風向指示板を設け、同風向指示板とベルト等で連動して前記給気箱を回動するようにした油だき温水ボイラとしている。
【０００８】
前記排気箱および給気箱を水平方向回動自在とし、同給気箱の上部に風向を指示する風向指示板を設け、同風向指示板とベルト等で連動して前記排気箱を回動するようにした油だき温水ボイラとしている。
【００１２】
【発明の実施の形態】
以上のように、本発明の油だき温水ボイラにおいては、排気箱の排気口と対向する背面を開口し、同開口部に、風圧により開閉する圧力開閉弁を設けたので、排気箱内に一定以上の風圧がかかると、圧力開閉弁が開放して燃焼炎に風圧がかからないようにしている。
とくに、給気口と排気口を水平に並べて配置してなる油だき温水ボイラにおいては、排気口または、排気口および給気口に、風向板を回動自在に配置し、排気ガスの方向を風向きに対向させ、排気口側に偏った方向の風であっても給気口に風圧がかかるようにすることにより、いかなる方向からの風に対しても給気口および排気口への風圧をバランスさせ、給気および排気を安定にして燃焼を安定させることができる。
【００１３】
【実施例】
以下、図面に基づいて本発明による油だき温水ボイラを詳細に説明する。
図１は従来および本発明による油だき温水ボイラを示す外観図、図２は従来および本発明による油だき温水ボイラを示す概略構成図、図３は本発明による油だき温水ボイラの一実施例を示す要部側断面である。
図１および図２に示すように、油だき温水ボイラは、筐体２０内に、給気口１ａを有する給気箱１と、同給気箱１よりの燃焼用空気を通風路２を介して供給する送風機３と、燃焼室５に配置した熱交換器６と、同熱交換器６を加熱するバーナ４と、同熱交換器６の上部に設けた排気ガス通路７と、同排気ガス通路７と連接し、同排気ガスを排気する排気口８ａを有する排気箱８と、前記送風機３、バーナ４、熱交換器６等囲う外装９とで構成している。
そして、前記排気箱８は図３に示す構造としている。
図３において、８ａは前記排気口、８ｂは排気口８ａの背面に設けた開口部、８ｃは蓋、８ｄは同蓋８ｃを開口部８ｂに付勢するコイルバネで、同蓋８ｃとコイルバネにより圧力開閉弁を形成している。
この排気口８ａに風が当たり、排気箱８内に一定以上の風圧が掛かると同蓋８ｃがコイルバネ８ｄに逆らって開放され、風圧を逃がすことができる。
【００１４】
図４は本発明の他の実施例を示す図で、（Ａ）は要部平断面図、（Ｂ）は排気口側から風が吹いた場合の風向板の動きを示す要部平断面図、（Ｃ）は要部側断面図であり、給気口１ａと排気口８ａを水平に配置した場合を示している。
図において、８ｅは風向板で、前記排気口８ａの上下に延出部８ａ１を設け、同延出部８ａ１に形成した軸受部８ａ２に同風向板８ｅの軸８ｅ１を、回動自在に取り付けている。
１ｅは風向板で、前記給気口１ａの上下に延出部１ａ１を設け、同延出部１ａ１に形成した軸受部１ａ２に同風向板１ｅの軸１ｅ１を、回動自在に取り付けている。
１０は前記風向板８ｅと風向板１ｅを回動自在に連結する連動アームである。
この風向板８ｅと風向板１ｅは風の強さと向きによってその向きを風向に向ける。
例えば、図４−（Ｂ）に示すように、排気口８ａ側から風が吹いた場合、この風向板８ｅおよび風向板１ｅは風向きの方向に向けるので、排気ガスが風向に対向して排気され、給気口１ａに当たる風を排気ガスにより遮らないようにし、排気口８ａおよび給気口１ａにバランスよく風圧がかかるようにしている。
【００１５】
図５は本発明の他の実施例を示す図で（Ａ）は要部平断面図、（Ｂ）は側断面図である。
図において、１ｆは給気箱１を通風路２を形成する通風管にベアリング等で回動自在に連結する回動部、１ｇはベルト１１を嵌めるプーリである。
また、８ｆは排気箱８を前記排気通路７を形成する排気管にベアリング等で回動自在に連結する回動部、８ｇは前記ベルトを嵌めるプーリである。
１１は前記ベルトで、前記プーリ１ｇとプーリ８ｇに嵌めて前記給気箱１と排気箱８とを連動して回動するようにしている。
１２は風向指示板で、前記排気箱８の上部に固定されている。
この風向指示板１２に風が当たると、同風向指示板１２をその方向に向けるので、排気箱８の排気口８ａが風向と対向する方向に向き、同時にベルト１１を介して給気箱１を回動し、給気口１ａを同じ方向に向ける。
従って、常に風に対向する向きに給気口１ａと排気口８ａが向くので、排気ガスが給気口１ａに当たる風を遮ることがなくなり、給気口１ａと排気口８ａにバランスよく風圧がかかり、給気、排気を安定させことができ、安定して燃焼させることができる。
【００１６】
【発明の効果】
以上説明したように、本発明による油だき温水ボイラによれば、排気箱の排気口と対向する背面を開口し、同開口部に、風圧により開閉する圧力開閉弁を設けたので、排気箱内に一定以上の風圧がかかると、圧力開閉弁が開放して燃焼炎に風圧がかからないようにして安定燃焼させている。
とくに、給気口と排気口を水平に並べて配置してなる油だき温水ボイラにおいては、排気口または、排気口および給気口の外側に、風向板を回動自在に配置し、排気ガスの方向を風向きに対向させ、排気口側に偏った方向の風であっても給気口に風圧がかかるようにするか、風向を指示する風向指示板を設け、同風向指示板と連動して給気箱および排気箱を連動して回動し、給気口および排気口を風に対向する方向に向けることにより、いかなる方向からの風に対しても給気口および排気口への風圧をバランスさせ、給気および排気を安定させ、燃焼を安定させることができる。
【図面の簡単な説明】
【図１】従来および本発明による油だき温水ボイラを示す外観図である。
【図２】従来および本発明による油だき温水ボイラを示す概略構成図である。
【図３】本発明による油だき温水ボイラの一実施例を示す要部側断面である。
【図４】本発明による油だき温水ボイラの他の実施例を示す要部平断面である。
【図５】本発明による油だき温水ボイラの他の実施例を示す要部側断面である。
【図６】従来の油だき温水ボイラの問題点を説明する説明図である。
【符号の説明】
１  給気箱
１ａ  給気口
１ｅ  風向板
１ｆ  回動部
１ｇ  プーリ
２  通風路
３  送風機
４  バーナ
５  燃焼室
６  熱交換器
７  排気ガス通路
８  排気箱
８ａ  排気口
８ｂ  開口部
８ｃ  蓋
８ｄ  コイルバネ
８ｅ  風向板
８ｆ  回動部
８ｇ  プーリ
９  外装
１０  連動アーム
１１  ベルト
１２  風向指示板
２０  筐体
【図１】
0003945016.tif 000002
【図２】
0003945016.tif 000003
【図３】
0003945016.tif 000004
【図４】
0003945016.tif 000005
【図５】
0003945016.tif 000006
【図６】
0003945016.tif 000007